(57)【特許請求の範囲】
【請求項１】
車両に取り付けられたワイヤハーネスを覆うことが可能な防水性を有するシートであって、
一面側には前記ワイヤハーネスの組み立てを指示する組立図が記され、前記組立図に従って前記ワイヤハーネスの組み立て及び固定が可能であるとともに、前記ワイヤハーネスを固定した状態で搬送可能となっており、搬送時には折り返されて前記ワイヤハーネスを内部に収容可能となっているワイヤハーネス防水用シート。
【請求項２】
請求項１に記載のワイヤハーネス防水用シートがワイヤハーネスに取り付けられている防水シート付きワイヤハーネス。
【請求項３】
前記ワイヤハーネスには前記車両への固定を行う固定手段が取り付けられている請求項２に記載の防水シート付きワイヤハーネス。
【請求項４】
車両に取り付けられたワイヤハーネスが請求項１に記載のワイヤハーネス防水用シートによって覆われているワイヤハーネスの簡易防水構造。
【発明の詳細な説明】
【技術分野】
【０００１】
本発明は、ワイヤハーネス防水用シート、ワイヤハーネス防水用シートが取り付けられている防水シート付きワイヤハーネス、およびワイヤハーネスの簡易防水構造に関する。
【背景技術】
【０００２】
従来、車両等に配索されるワイヤーハーネスにおいては、電線の端末部に接続されたコネクタ内に浸水することを防ぐべく防水コネクタを用いたり（例えば下記特許文献１に記載）、電線の端末部と端子金具との接続部位を樹脂部材で覆う（例えば下記特許文献２に記載）等の防水対策がなされている。
【先行技術文献】
【特許文献】
【０００３】
【特許文献１】特開２０１４−４４８０２号公報
【特許文献２】特開２０１３−１８７０４１号公報
【発明の概要】
【発明が解決しようとする課題】
【０００４】
ところで、ワイヤハーネスは、水がかかりやすいところに取り付けられるものと、水がかかりにくいところに取り付けられるものとがある。上記のような完全な防水対策は高いコストを要するので、水がかかりにくいところに取り付けられるワイヤハーネスには簡易的な防水対策を施してコストを下げることが望ましい。また、水がかかりやすいところに取り付けられるワイヤハーネスには、完全な防水対策に簡易的な防水対策を重ねて施すことで、防水性のさらなる向上を図ることができると思われる。このため、ワイヤハーネスを簡易的に防水することが可能な手段が望まれていた。
【０００５】
本発明は上記のような事情に基づいて完成されたものであって、ワイヤハーネスを簡易的に防水することが可能なワイヤハーネス防水用シート、防水シート付きワイヤハーネスおよびワイヤハーネスの簡易防水構造を提供することを目的とする。
【課題を解決するための手段】
【０００６】
本発明のワイヤハーネス防水用シートは、車両に取り付けられたワイヤハーネスを覆うことが可能な防水性を有するシートであって、一面側には前記ワイヤハーネスの組み立てを指示する組立図が記され、前記組立図に従って前記ワイヤハーネスの組み立て及び固定が可能であるとともに、前記ワイヤハーネスを固定した状態で搬送可能となっており、搬送時には折り返されて前記ワイヤハーネスを内部に収容可能となっているものである。
本発明の防水シート付きワイヤハーネスは、前記ワイヤハーネス防水用シートがワイヤハーネスに取り付けられているものである。
本発明のワイヤハーネスの簡易防水構造は、車両に取り付けられたワイヤハーネスが前記ワイヤハーネス防水用シートによって覆われているものである。
【発明の効果】
【０００７】
本発明のワイヤハーネス防水用シート、防水シート付きワイヤハーネスおよびワイヤハーネスの簡易防水構造によれば、ワイヤハーネス防水―とで覆われたワイヤハーネスは水滴の滴り等から保護されるので、ワイヤハーネスを簡易的に防水することができる。
また、ワイヤハーネス防水用シートにはワイヤハーネスの組み立てを指示する組立図が記されているため、この組立図に従ってワイヤハーネスの組み立て作業を行うことができる。つまり、組み立てが完了したワイヤハーネスにワイヤハーネス防水用シートを取り付ける作業を別途行わなくてもよいので、簡易防水に係る作業を容易に行うことができる。
【図面の簡単な説明】
【０００８】
【図１】本実施例におけるワイヤハーネス防水用シートを示す斜視図
【図２】防水シート付きワイヤハーネスを示す正面図
【図３】ワイヤハーネスが結束バンドによってワイヤハーネス防水用シートに固定された状態を示す一部拡大断面図
【図４】ワイヤハーネスの簡易防水構造の第１例を示す概略図
【図５】ワイヤハーネスの簡易防水構造の第２例を示す概略図
【発明を実施するための形態】
【００１０】
＜実施例＞
以下、本発明を具体化した一実施例について、図１〜図５を参照しつつ詳細に説明する。
本実施例におけるワイヤハーネス防水用シート（以下、単にシート１０と称する）は、車両等に配索されたワイヤハーネス２０を簡易防水するために使用されるものである。
シート１０は、防水性を有する例えばビニール製であって、ワイヤハーネス２０のほぼ全体を覆うことが可能な大きさを有する略長方形状をなしている。
【００１１】
シート１０の一面側には、図１に示すように、ワイヤハーネス２０の組み立てを指示する組立図１１が印刷されている。組立図１１は、シート１０の下側略半分に印刷されている。これにより、シート１０は、組立図１１が印刷されていてワイヤハーネス２０の組み立て作業時にも有効に機能する組立兼用部１０Ａと、組立図１１が印刷されておらず主としてワイヤハーネス２０を覆うことに機能するカバー専用部１０Ｂとを備えている。
【００１２】
組立兼用部１０Ａおよびカバー専用部１０Ｂは、シート１０において組立兼用部１０Ａが下側、カバー専用部１０Ｂが上側に配されるように設けられ、組立兼用部１０Ａを作業台にのせたときに、カバー専用部１０Ｂが作業台の奥側に垂れ下がるようになっている。
【００１３】
組立図１１には、ワイヤハーネス２０の組み立てに必要な指示、例えばワイヤハーネス２０を構成する電線の長さ寸法や電線の分岐点における向き（角度）、電線に接続されるコネクタ２１の接続位置や接続するコネクタ２１の種類等に関する指示が記されている。また、組立図１１には、コルゲートチューブ、クランプ２２、プロテクタ等の外装部品の取り付け等に関する指示や、テープ巻き等に関する指示が記されている。
【００１４】
次に、上記のようなシート１０を用いてワイヤハーネス２０を簡易防水する作業の一例を説明する。
まず、シート１０を用いてワイヤハーネス２０を組み立てる。シート１０の組立兼用部１０Ａを図示しない作業台に広げて固定し、シート１０の組立兼用部１０Ａに印刷された組立図１１に従って、ワイヤハーネス２０を組み立てつつ同ワイヤハーネス２０をシート１０に固定する。作業台へのシート１０の固定は、組立兼用部１０Ａが作業台から滑り落ちない程度の固定でよく、その固定手段としては、例えば作業台に立設された固定具を、シート１０に形成した貫通孔に通したり、また、例えばクリップ等によってシート１０の周縁部と作業台の外縁部とを挟んで留める等、様々な手段を用いることができる。
【００１５】
そして、組立作業員は、組立図１１に従って、電線を布線したり、布線された電線の束を結束したり、電線にコネクタ２１等の電気部品を結合したりする。また、ワイヤハーネス２０を、合成樹脂製の結束バンド２３により結束してシート１０に固定する。結束バンド２３は、図３に示すように、シート１０に形成された２つの貫通孔を通ってシート１０の裏側（組立図１１が印刷された側とは反対側）に通され、表側（組立図１１が印刷された側）でワイヤハーネス２０を束ねて留められる。ワイヤハーネス２０の固定は、シート１０の複数個所においてなされる。
【００１６】
また、組立作業員は、組立図１１に従って、コルゲートチューブやクランプ２２等、外装部品を取り付けたり、テープを巻き付ける等の作業を行う。
こうして、ワイヤハーネス２０が組み立てられつつシート１０に固定され、ワイヤハーネス２０にシート１０が固定された防水シート付きワイヤハーネス２５が製造される。
【００１７】
次に、防水シート付きワイヤハーネス２５を作業台から取り外して、車両への配索工場にまとめて搬送する。この際、シート１０は、内側にワイヤハーネス２０を収納するように折り返され、カバー専用部１０Ｂが組立兼用部１０Ａの表側に重ねられる。シート１０に包まれたワイヤハーネス２０は、絡まることなく収納箱内に積み重ねて収納され、車両への配索工場にまとめて搬送される。
【００１８】
次に、ワイヤハーネス２０を車両に取り付けて簡易防水対策を施す。防水シート付きワイヤハーネス２５を、図４および図５に示すように、各種機器（例えば車両に関する各種制御を行うＥＣＵボックス３１等）に接続するとともに、車両の所定部位（例えばリンフォース３０等）に固定する。この際、防水シート付きワイヤハーネス２５を、ワイヤハーネス２０の上方がシート１０によって覆われる向き、すなわちシート１０の中心部（組立兼用部１０Ａとカバー専用部１０Ｂとの境界部分）が上側、端部が下側に配される向きにする。そして、ワイヤハーネス２０に取り付けられたクランプ２２等の固定手段によってワイヤハーネス２０をリンフォース３０に固定し、ワイヤハーネス２０の分岐線２０Ｂに接続されたコネクタ２１を、ＥＣＵボックス３１のコネクタ３１Ｃに接続する。なお、リンフォース３０は、車両ボディ等に固定された中空の長尺状棒体であり、ＥＣＵボックス３１は、連結部材３２によってリンフォース３０の下側に連結されている。
【００１９】
そして、図４に示すように、シート１０がワイヤハーネス２０のみならずリンフォース３０およびＥＣＵボックス３１を含む全体を覆うようにする場合には、組立兼用部１０Ａをワイヤハーネス２０の外側（リンフォース３０およびＥＣＵボックス３１と対向する側とは反対側）に垂れ下がらせ、カバー専用部１０Ｂをリンフォース３０およびＥＣＵボックス３１の外側に垂れ下がらせる。これにより、シート１０が、ワイヤハーネス２０、リンフォース３０およびＥＣＵボックス３１に覆い被さった状態になる。
【００２０】
また、図５に示すように、シート１０がワイヤハーネス２０のみを覆うようにする場合には、組立兼用部１０Ａをワイヤハーネス２０の内側（リンフォース３０およびＥＣＵボックス３１と対向する側）に垂れ下がらせ、カバー専用部１０Ｂがワイヤハーネス２０の外側に垂れ下がらせる。カバー専用部１０Ｂは、ワイヤハーネス２０の上側において外側に折り返される。組立兼用部１０Ａは、ワイヤハーネス２０とリンフォース３０との間、およびＥＣＵボックス３１とワイヤハーネス２０との間に配される。クランプ２２は、シート１０の所定の位置に形成された貫通孔を介して外側に突出し、リンフォース３０に固定される。また、ワイヤハーネス２０の分岐線２０Ｂのコネクタ２１は、組立兼用部１０Ａに形成された貫通孔を通ってシート１０の外側に引き出され、ＥＣＵボックス３１に接続される。
【００２１】
こうして、シート１０を用いてワイヤハーネス２０を簡易防水する作業が完了する。なお、図４および図５のいずれにおいても、シート１０の下端は、ワイヤハーネス２０およびＥＣＵボックス３１よりも下側に至っている。
【００２２】
次に、上記のように構成された実施例の作用および効果について説明する。
本実施例のシート１０は、車両等に取り付けられたワイヤハーネス２０を覆うことが可能な防水性を有するシートである。この構成によれば、シート１０で覆われたワイヤハーネス２０は水滴の滴り等から保護されるので、ワイヤハーネス２０を簡易的に防水することができる。
【００２３】
また、シート１０には、ワイヤハーネス２０の組み立てを指示する組立図１１が記されている。この構成によれば、シート１０の組立図１１に従ってワイヤハーネス２０の組み立て作業を行い、この作業においてワイヤハーネス２０をシート１０に取り付ければ、組み立てが完了したワイヤハーネスにシートを取り付ける作業を別途行わなくてもよいので、簡易防水にかかる作業を容易に行うことができる。
【００２４】
＜他の実施例＞
本発明は上記記述及び図面によって説明した実施例に限定されるものではなく、例えば次のような実施例も本発明の技術的範囲に含まれる。
（１）上記実施例では、シート１０が組立兼用部１０Ａとカバー専用部１０Ｂとを備えているが、これに限らず、例えば車両等におけるワイヤハーネスの取付部位が、組立兼用部のみでワイヤハーネスを覆うことが可能な形態をなしているような場合には、カバー専用部を備えないものとしてもよい。
（２）上記実施例では、シート１０は例えばビニール製とされれているが、これに限らず、シートは防水性を有していればどのような材料を用いてもよく、例えば防水加工をした布等であってもよい。
（３）上記実施例では、シート１０の一面側に組立図１１が印刷されているが、これに限らず、シートの両面に組立図を印刷してもよく、例えばシートの一面側と他面側とで異なる品番の組立図を記し、適宜組立図を選択することができるようにしてもよい。
【符号の説明】
【００２５】
１０…シート（ワイヤハーネス防水用シート）
１１…組立図
２０…ワイヤハーネス
２５…シート付きワイヤハーネス（防水シート付きワイヤハーネス）
【図１】
0006299555.tif 000002
【図２】
0006299555.tif 000003
【図３】
0006299555.tif 000004
【図４】
0006299555.tif 000005
【図５】
0006299555.tif 000006